(57)【要約】【課題】移動体を運転する利用者に対し、より幅広い状態監視を実現する。【解決手段】実施形態のウェアラブルデバイスは、利用者の身体に装着された状態で前記利用者によって持ち運び可能であり、前記利用者の生体情報を取得する。携帯端末装置は、前記ウェアラブルデバイスと通信可能であり、前記利用者によって持ち運び可能である。サーバ装置は、前記携帯端末装置と通信可能である。前記ウェアラブルデバイス、前記携帯端末装置、および前記サーバ装置のうち少なくとも一つは、前記利用者が移動体を運転中であるか否かを判定する。前記携帯端末装置、および前記サーバ装置のうち少なくとも一方は、前記判定部による判定結果を参照し、前記ウェアラブルデバイスにおいて取得された生体情報に基づいて前記利用者の運転中の状態を監視するための処理を行う。【選択図】図１
2017033042.tif 000002
【特許請求の範囲】
【請求項１】
利用者の身体に装着された状態で前記利用者によって持ち運び可能なウェアラブルデバイスであって、前記利用者の生体情報を取得するウェアラブルデバイスと、
前記ウェアラブルデバイスと通信可能であり、前記利用者によって持ち運び可能な携帯端末装置と、
前記携帯端末装置と通信可能なサーバ装置と、を備え、
前記ウェアラブルデバイス、前記携帯端末装置、および前記サーバ装置のうち少なくとも一つは、前記利用者が移動体を運転中であるか否かを判定する判定部を備え、
前記携帯端末装置、および前記サーバ装置のうち少なくとも一方は、前記判定部による判定結果を参照し、前記ウェアラブルデバイスにおいて取得された生体情報に基づいて前記利用者の運転中の状態を監視するための処理を行う、
利用者状態監視システム。
【請求項２】
前記サーバ装置は、前記判定部により前記利用者が移動体を運転中でないと判定された場合、前記判定部により前記利用者が移動体を運転中であると判定された場合とは異なる処理を行う、
請求項１記載の利用者状態監視システム。
【請求項３】
前記ウェアラブルデバイスと前記携帯端末装置の間、および前記携帯端末装置と前記サーバ装置の間では、それぞれ前記利用者が運転する移動体に搭載された装置を介さずに通信が行われる、
請求項１または２記載の利用者状態監視システム。
【請求項４】
前記ウェアラブルデバイスまたは前記携帯端末装置は、自装置の位置を特定可能な特定部を備え、
前記判定部は、前記特定部により特定される前記携帯端末装置の位置の変化に基づいて、前記利用者が移動体を運転中であるか否かを判定する、
請求項１から３のうちいずれか１項記載の利用者状態監視システム。
【請求項５】
前記ウェアラブルデバイスまたは前記携帯端末装置は、前記利用者が運転する移動体に搭載された装置と通信可能であり、
前記判定部は、前記ウェアラブルデバイスまたは前記携帯端末装置が、前記利用者が運転する移動体に搭載された装置から通信によって取得する情報に基づいて、前記利用者が移動体を運転中であるか否かを判定する、
請求項１から４のうちいずれか１項記載の利用者状態監視システム。
【請求項６】
利用者の身体に装着された状態で前記利用者によって持ち運び可能なウェアラブルデバイスであって、前記利用者の生体情報を取得するウェアラブルデバイスと、
前記ウェアラブルデバイスと通信可能であり、前記利用者によって持ち運び可能な携帯端末装置と、を備え、
前記ウェアラブルデバイス、および前記携帯端末装置のうち少なくとも一方は、前記利用者が移動体を運転中であるか否かを判定する判定部を備え、
前記携帯端末装置は、前記判定部による判定結果を参照し、前記ウェアラブルデバイスにおいて取得された生体情報に基づいて前記利用者の運転中の状態を監視するための処理を行う、
利用者状態監視システム。
【請求項７】
利用者の身体に装着された状態で前記利用者によって持ち運び可能なウェアラブルデバイスであって、前記利用者の生体情報を取得するウェアラブルデバイスと、
前記ウェアラブルデバイスと通信可能なサーバ装置と、を備え、
前記ウェアラブルデバイス、および前記サーバ装置のうち少なくとも一つは、前記利用者が移動体を運転中であるか否かを判定する判定部を備え、
前記サーバ装置は、前記判定部による判定結果を参照し、前記ウェアラブルデバイスにおいて取得された生体情報に基づいて前記利用者の運転中の状態を監視するための処理を行う、
利用者状態監視システム。
【請求項８】
利用者の身体に装着されたウェアラブルデバイスが、前記利用者の生体情報を取得し、
前記利用者によって持ち運び可能な携帯端末装置が、前記ウェアラブルデバイスと通信し、
サーバ装置が、前記ウェアラブルデバイスから前記携帯端末装置を介して前記生体情報を取得し、
前記ウェアラブルデバイス、前記携帯端末装置、および前記サーバ装置のうち少なくとも一つが、前記利用者が移動体を運転中であるか否かを判定し、
前記携帯端末装置、および前記サーバ装置のうち少なくとも一方が、前記判定の結果を参照し、前記取得した生体情報に基づいて前記利用者の運転中の状態を監視するための処理を行う、
利用者状態監視方法。
【請求項９】
利用者の身体に装着されたウェアラブルデバイスが、前記利用者の生体情報を取得し、
前記利用者によって持ち運び可能な携帯端末装置が、前記ウェアラブルデバイスと通信し、
前記ウェアラブルデバイス、および前記携帯端末装置のうち少なくとも一方が、前記利用者が移動体を運転中であるか否かを判定し、
前記携帯端末装置が、前記判定の結果を参照し、前記取得した生体情報に基づいて前記利用者の運転中の状態を監視するための処理を行う、
利用者状態監視方法。
【請求項１０】
利用者の身体に装着されたウェアラブルデバイスが、前記利用者の生体情報を取得し、
サーバ装置が、前記ウェアラブルデバイスと通信し、
前記ウェアラブルデバイス、および前記サーバ装置のうち少なくとも一方が、前記利用者が移動体を運転中であるか否かを判定し、
前記サーバ装置が、前記判定の結果を参照し、前記取得した生体情報に基づいて前記利用者の運転中の状態を監視するための処理を行う、
利用者状態監視方法。
【発明の詳細な説明】
【技術分野】
【０００１】
本発明の実施形態は、利用者状態監視システム、および利用者状態監視方法に関する。
【背景技術】
【０００２】
従来より、車両などの移動体を運転（操縦）する運転者を監視することについて研究が進められている。しかしながら、従来の技術では、主に車載装置を用いて監視が行われていたため、監視の範囲が限定的であった。
【先行技術文献】
【特許文献】
【０００３】
【特許文献１】特開２０１３−１９６０４２号公報
【発明の概要】
【発明が解決しようとする課題】
【０００４】
本発明が解決しようとする課題は、移動体を運転する利用者に対し、より幅広い状態監視を実現することができる利用者状態監視システム、および利用者状態監視方法を提供することである。
【課題を解決するための手段】
【０００５】
実施形態の利用者状態監視システムは、ウェアラブルデバイスと、携帯端末装置と、サーバ装置とを持つ。ウェアラブルデバイスは、利用者の身体に装着された状態で前記利用者によって持ち運び可能であり、前記利用者の生体情報を取得する。携帯端末装置は、前記ウェアラブルデバイスと通信可能であり、前記利用者によって持ち運び可能である。サーバ装置は、前記携帯端末装置と通信可能である。前記ウェアラブルデバイス、前記携帯端末装置、および前記サーバ装置のうち少なくとも一つは、判定部を持つ。判定部は、前記利用者が移動体を運転中であるか否かを判定する。前記携帯端末装置、および前記サーバ装置のうち少なくとも一方は、前記判定部による判定結果を参照し、前記ウェアラブルデバイスにおいて取得された生体情報に基づいて前記利用者の運転中の状態を監視するための処理を行う。
【図面の簡単な説明】
【０００６】
【図１】第１の実施形態に係る利用者状態監視システム１の構成例を示す図である。
【図２】ＷＤ１００の外観構成例を示す図である。
【図３】ＷＤ１００により実行される処理の流れの一例を示すフローチャートである。
【図４】携帯端末装置２００またはサーバ装置３００により実行される処理の流れの一例を示すフローチャートである。
【図５】第２の実施形態に係る利用者状態監視システム１Ａの構成例を示す図である。
【図６】第３の実施形態に係る利用者状態監視システム１Ｂの構成例を示す図である。
【図７】第４の実施形態に係る利用者状態監視システム１Ｃの構成例を示す図である。
【図８】第５の実施形態に係る利用者状態監視システム１Ｄの構成例を示す図である。
【発明を実施するための形態】
【０００７】
以下、実施形態の利用者状態監視システム、および利用者状態監視方法を、図面を参照して説明する。
【０００８】
（第１の実施形態）
図１は、第１の実施形態に係る利用者状態監視システム１の構成例を示す図である。利用者状態監視システム１は、ウェアラブルデバイス（以下、ＷＤ）１００と、携帯端末装置２００と、サーバ装置３００とを備える。ＷＤ１００は、例えば、車両によって荷物を運送する運送会社に所属する運転者（利用者の一例）によって利用される。また、携帯端末装置２００は、ＷＤ１００を装着した利用者が保持するものである。
【０００９】
［ウェアラブルデバイス（ＷＤ）］
ＷＤ１００は、例えば、生体センサ１０２と、物理量測定センサ１０４と、環境センサ１０６と、マイク１０８と、ＷＤ通信装置１１０と、ＧＮＳＳ（Global Navigation Satellite System）受信機１１２と、運転状態判定部１１４と、処理実行部１１６とを備える。
【００１０】
生体センサ１０２は、例えば、心電位センサ、脈波センサ、皮膚電気活動センサ、皮膚温度センサなどを含み、ＷＤ１００が装着された利用者の生体情報を取得する。物理量測定センサ１０４は、例えば、加速度センサ、ジャイロセンサ、方位センサなどを含む。環境センサ１０６は、例えば、日射による紫外線の量を測定する紫外線センサ、気圧センサ、外気温センサ、湿度センサなどを含む。マイク１０８は、ＷＤ１００の周辺で発生した音を集音する。
【００１１】
ＷＤ通信装置１１０は、携帯端末装置２００の近距離通信装置２０２と通信する。ＷＤ通信装置１１０と近距離通信装置２０２との間では、例えば、Ｂｌｕｅｔｏｏｔｈ（登録商標）またはＢｌｕｅｔｏｏｔｈ  Ｌｏｗ  Ｅｎｅｒｇｙ（ＢＬＥ）に基づく通信が行われる。また、これに代えて、ＷＤ通信装置１１０と近距離通信装置２０２との間では、Ｗｉ−Ｆｉなどに基づく通信が行われてもよい。生体センサ１０２、物理量測定センサ１０４、環境センサ１０６、およびマイク１０８により得られた検出値や音声情報は、例えば、処理実行部１１６によって取捨選択され、必要に応じて何等かの処理が行われた上で（或いはそのまま）、ＷＤ通信装置１１０を用いて携帯端末装置２００に送信される。処理実行部１１６には、携帯端末装置２００におけるアプリ実行部２０８の設定状態が伝えられ、処理実行部１１６は、これに基づいて携帯端末装置２００に送信する情報を選択し、または処理する。
【００１２】
以下、ＷＤ１００から携帯端末装置２００に送信される情報を、一次情報と称する。一次情報は、例えば、数ミリ秒ごと、毎秒、数秒ごと、毎分、数分ごと等の所定周期で携帯端末装置２００に送信される。
【００１３】
処理実行部１１６は、例えば、物理量測定センサ１０４の検出結果に基づいて利用者の姿勢を推定し、推定結果（姿勢情報）を一次情報として、携帯端末装置２００に送信するようにＷＤ通信装置１１０に指示する。また、処理実行部１１６は、生体センサ１０２の検出結果に基づいて利用者の心拍間隔（ＲＲＩ；RR Interval）を算出し、心拍間隔を一次情報として携帯端末装置２００に送信するようにＷＤ通信装置１１０に指示してもよい。また、処理実行部１１６は、生体センサ１０２により検出される皮膚温度やマイク１０８により集音される音声情報等をそのまま、或いは圧縮処理や特徴量抽出処理などを行った上で、一次情報として携帯端末装置２００に送信するようにＷＤ通信装置１１０に指示してもよい。また、一次情報は、生体センサ１０２や物理量測定センサ１０４による検出結果そのもの、或いはこれらに対し圧縮処理や特徴量抽出処理などを行ったものを含んでもよい。また、一次情報は、後述するＧＮＳＳ受信機により特定されたＷＤ１００の位置を含んでもよい。
【００１４】
ＧＮＳＳ受信機１１２は、ＧＰＳ（Global Positioning System）衛星などから到来する電波を受信し、単独測位や相対測位（Differential-GPS）、ＲＴＫ（Real Time Kinematic）測位、Ａ−ＧＰＳ（Assisted-GPS）などの手法により、ＷＤ１００の位置を特定する。
【００１５】
運転状態判定部１１４は、ＷＤ１００を装着した利用者が、移動体を運転中であるか否かを判定する。移動体とは、前述したように運送会社の運転者が利用者である場合、例えばトラックである。また、移動体とは、四輪車両、三輪車両、自動二輪車、船舶、航空機、ホバークラフトのいずれであってもよい。運転状態判定部１１４および処理実行部１１６は、例えば、ＣＰＵ（Central Processing Unit）等のプロセッサがプログラム（ファームウェア）を実行することにより実現される。また、運転状態判定部１１４および処理実行部１１６のうち一方または双方は、ＬＳＩ（Large Scale Integration）やＡＳＩＣ（Application Specific Integrated Circuit）などのハードウェアにより実現されてもよい。
【００１６】
運転状態判定部１１４は、例えば、ＧＮＳＳ受信機１１２により特定されたＷＤ１００の位置の履歴に基づいて、ＷＤ１００の移動速度Ｖを算出し、移動速度Ｖが閾値Ｖｔｈを超えた場合に、ＷＤ１００を装着した利用者が、移動体を運転中であると判定する。閾値Ｖｔｈは、例えば、人が歩行する際の平均的な速度（４［ｋｍ／ｈ］程度）よりも十分に高い速度に設定される。また、運転状態判定部１１４は、ＷＤ１００に対して利用者が行った操作に基づいて、ＷＤ１００を装着した利用者が、移動体を運転中であるか否かを判定してもよい。また、運転状態判定部１１４は、ＷＤ１００または携帯端末装置２００と、移動体に搭載される装置との通信によって得られた情報に基づいて、ＷＤ１００を装着した利用者が、移動体を運転中であるか否かを判定してもよい。また、運転状態判定部１１４は、上記方法を複合的に組み合わせて、ＷＤ１００を装着した利用者が、移動体を運転中であるか否かを判定してもよい。
【００１７】
処理実行部１１６は、ＷＤ通信装置１１０に、運転状態判定部１１４による判定結果を、例えば一次情報に包含させて携帯端末装置２００の近距離通信装置２０２に送信させる。
【００１８】
図２は、ＷＤ１００の外観構成例を示す図である。ＷＤ１００は、例えば、人の手首に装着されるリストバンド型のウェアラブルデバイスである。ＷＤ１００は、リストバンド１２０に、図１に示す構成を備える本体部が装着された状態で、人の手首に装着されて使用される。本体部には、図１に示す構成の他、ボタン１２２および表示部１２４が設けられる。また、本体部の表示部１２４と反対の側には、充電用端子や生体センサ１０２などが設けられる。表示部１２４は、リストバンド１２０に形成された孔部を介して外部に表面が露出することで、表示内容が視認可能となっている。また、１２２は、リストバンド部１２０の側壁部１２０Ａによって覆われた状態で使用され、リストバンド１２０の側壁部１２０Ａごとプッシュ操作される。なお、ＷＤ１００は、図２に示す態様に限らず、メガネ型など、如何なる態様を有してもよい。
【００１９】
ＷＤ１００は、ボタン１２２に対する操作によって、携帯端末装置２００と通信可能なモード（ペアリングモード）に設定される。ＷＤ１００の動作モードは、表示部１２４の表示態様を変更することで認識可能となっている。ＷＤ１００は、携帯端末装置２００にアプリケーションプログラムがインストールされ、アプリ実行部２０８が機能した状態で、携帯端末装置２００と共に、利用者の種々の活動を計測することができる。
【００２０】
［携帯端末装置］
図１に戻り、利用者状態監視システム１の説明を行う。携帯端末装置２００は、例えば、スマートフォンやタブレット端末、フィーチャーフォンなどであり、ＷＤ１００およびサーバ装置３００と通信可能であると共に、利用者によって持ち運び可能なものであれば、如何なる装置を用いてもよい。また、携帯端末装置２００は、所望のアプリケーションプログラムがインストールされることでアプリ実行部２０８が機能するものであることが望ましい。携帯端末装置２００は、例えば、近距離通信装置２０２と、ネットワーク通信装置２０４と、タッチパネル２０６と、アプリ実行部２０８とを備える。
【００２１】
近距離通信装置２０２は、ＷＤ１００のＷＤ通信装置１１０と通信する。
【００２２】
ネットワーク通信装置２０４は、ネットワークＮＷを介してサーバ装置３００のサーバ側通信装置３０２と通信する。ネットワークＮＷは、例えば、携帯電話網、Ｗｉ−Ｆｉ網、無線基地局、ＷＡＮ（Wide Area Network）、ＬＡＮ（Local Area Network）、インターネット、公衆回線網などを含む。
【００２３】
タッチパネル２０６は、各種情報を表示すると共に、表示面に対して利用者がタップ、スライド、スワイプなどの態様でタッチ操作した座標を検出し、アプリ実行部２０８、その他の処理主体に出力する。
【００２４】
アプリ実行部２０８は、ＣＰＵなどのプロセッサが、携帯端末装置２００にインストールされたアプリケーションプログラムを実行することで実現される。アプリ実行部２０８は、ＷＤ１００から受信した一次情報に対し、必要に応じて何等かの処理を行った上で（或いはそのまま）、サーバ装置３００に送信するようにネットワーク通信装置２０４に指示する。以下、携帯端末装置２００によってサーバ装置３００に送信される情報を、二次情報と称する。二次情報は、例えば、数ミリ秒ごと、毎秒、数秒ごと、毎分、数分ごと等の所定周期でサーバ装置３００に送信される。二次情報の送信周期は、一次情報の送信周期よりも短くてもよいし、長くてもよいし、同じでもよい。また、アプリ実行部２０８は、二次情報の送信周期を、携帯端末装置２００の通信状態に応じて、動的に制御してもよい。
【００２５】
ここで、アプリ実行部２０８は、ＷＤ１００の運転状態判定部１１４による判定結果に基づいて、利用者が移動体を運転中である場合と、運転中でない場合とで異なる処理を行ってよい。なお、下記に示す処理のうち一部または全部は、ＷＤ１００の処理実行部１１６によって行われてもよい。
【００２６】
（１）利用者が移動体を運転中である場合
この場合、アプリ実行部２０８は、例えば、一次情報に含まれる姿勢情報や心拍間隔、皮膚温度などに基づいて、ＷＤ１００を装着した利用者の疲労度、ストレス、集中度などの指標値を算出し、算出結果を二次情報としてサーバ装置３００に送信するようにネットワーク通信装置２０４に指示する。また、アプリ実行部２０８は、一次情報に基づいて、ＷＤ１００を装着した利用者の体調急変、眠気などの状態イベントを検出し、検出結果を二次情報としてサーバ装置３００に送信するようにネットワーク通信装置２０４に指示してもよい。更に、アプリ実行部２０８またはその他の機能部は、二次情報の結果に基づいて、即座に携帯端末装置２００またはＷＤ１００からアラートを発して、利用者に注意喚起を行ってもよい。
【００２７】
（２）利用者が移動体を運転中でない場合
この場合、アプリ実行部２０８は、例えば、一次情報に含まれる姿勢情報や心拍間隔、皮膚温度などに基づいて、ＷＤ１００を装着した利用者の睡眠状況、自律神経の状態などを推定し、推定結果をタッチパネル２０６に表示させる処理などを行う。また、アプリ実行部２０８は、例えば、一次情報に含まれる加速度の情報に基づいてＷＤ１００を装着した利用者の歩数を計算し、消費カロリーやＭＥＴｓ（Metabolic Equivalents；安静状態の何倍のカロリーを消費しているかを示す指標）などを算出し、算出結果をタッチパネル２０６に表示させる処理などを行ってもよい。更に、アプリケーション実行部２０８は、ＷＤ１００から算出される一次情報（加速度、マイク、ＧＰＳを特徴量に変換した値）に基づいて利用者の行動を推定してもよい。これを用いて、アプリケーション実行部２０８は、例えば、運送会社に勤務する利用者が荷積みに要している時間などの活動ログを記録してもよい。この場合、活動ログを記録する処理は、サーバ装置３００において行われてもよい。
【００２８】
ＷＤ１００を装着した利用者が移動体を運転中でない場合、アプリ実行部２０８は、処理の結果をサーバ装置３００に送信するようにネットワーク通信装置２０４に指示せず、携帯端末装置２００内で処理を完結してもよいし、ＷＤ１００を装着した利用者が移動体を運転中である場合と同様に、処理の結果をサーバ装置３００に送信するようにネットワーク通信装置２０４に指示してもよい。
【００２９】
また、二次情報には、ＷＤ１００のＧＮＳＳ受信機１１２により特定されたＷＤ１００の位置、または携帯端末装置２００が有するＧＮＳＳ受信機（不図示）により特定された携帯端末装置２００の位置を含んでもよい。
【００３０】
［サーバ装置］
サーバ装置３００は、例えば、サーバ側通信装置３０２と、収集情報記憶部３０４と、監視処理実行部３０６とを備える。
【００３１】
サーバ側通信装置３０２は、例えば、ＮＩＣ（Network Interface Card、ネットワークカード）である。サーバ側通信装置３０２によって受信された二次情報は、収集情報記憶部３０４に格納される。収集情報記憶部３０４は、例えば、ＨＤＤ（Hard Disk Drive）やＳＳＤ（Solid State Drive）、ＲＯＭ（Read Only Memory）、ＲＡＭ（Random Access Memory）等により実現される。
【００３２】
監視処理実行部３０６は、収集情報記憶部３０４に格納された二次情報に基づいて、ＷＤ１００の利用者の状態監視を行うための処理を実行する。
【００３３】
（１）利用者が移動体を運転中である場合
この場合、監視処理実行部３０６は、例えば、二次情報に含まれる疲労度、ストレス、集中度などの情報をリアルタイムに監視し、疲労度やストレスが基準値を超えた、あるいは集中度が基準値未満となった利用者の携帯端末装置２００に対して、休憩を促す情報を送信する。また、監視処理実行部３０６は、二次情報に含まれる体調急変、眠気の情報に基づいて、二次情報に含まれるＷＤ１００または携帯端末装置２００の位置に、レスキュー車両を派遣するための処理などを実行する。
【００３４】
（２）利用者が移動体を運転中でない場合
この場合、監視処理実行部３０６は、例えば、利用者の降車後の健康管理のための処理を実行したり、運送会社の倉庫業務における行動ログを記録する処理を実行する。
【００３５】
［フローチャート、シーケンス］
図３は、ＷＤ１００により実行される処理の流れの一例を示すフローチャートである。まず、処理実行部１１６が、各種センサによる検出値を取得する（ステップＳ１００）。次に、運転状態判定部１１４が、ＷＤ１００の利用者が移動体を運転中であるか否かを判定する（ステップＳ１０２）。運転状態判定部１１４によりＷＤ１００の利用者が移動体を運転中であると判定された場合、処理実行部１１６が、利用者が移動体を運転中である旨の情報を一次情報に含めることを決定する（ステップＳ１０４）。
そして、処理実行部１１６は、前述したように一次情報を生成し（ステップＳ１０６）、生成した一次情報を携帯端末装置２００に送信するようにＷＤ通信装置１１０に指示する（ステップＳ１０８）。
【００３６】
図４は、携帯端末装置２００またはサーバ装置３００により実行される処理の流れの一例を示すフローチャートである。まず、携帯端末装置２００またはサーバ装置３００は、受信した一次情報または二次情報を参照し、ＷＤ１００の利用者が移動体を運転中であるか否かを判定する（ステップＳ２００）。携帯端末装置２００またはサーバ装置３００は、判定結果に応じて、ＷＤ１００の利用者が移動体を運転中である場合の処理、またはＷＤ１００の利用者が移動体を運転中でない場合の処理を実行する（ステップＳ２０２、Ｓ２０４）。
【００３７】
以上説明した第１の実施形態に係る利用者状態監視システム１によれば、ＷＤ１００が、利用者が移動体を運転中であるか否かを判定し、携帯端末装置２００、およびサーバ装置３００が、判定結果を参照し、ＷＤ１００において取得された生体情報に基づいて利用者の運転中の状態を監視するための処理を行うことにより、運転者の運転中、および降車後に亘って運転者の状態監視を行うことができる。この結果、移動体を運転する利用者に対し、より幅広い状態監視を実現することができる。
【００３８】
（第２の実施形態）
図５は、第２の実施形態に係る利用者状態監視システム１Ａの構成例を示す図である。第２の実施形態に係る利用者状態監視システム１Ａは、携帯端末装置２００が運転状態判定部２１０を備える。運転状態判定部２１０は、例えば、ＷＤ１００のＧＮＳＳ受信機１１２により特定されたＷＤ１００の位置の履歴、または携帯端末装置２００が備えるＧＮＳＳ受信機（不図示）により特定された携帯端末装置２００の位置の履歴に基づいて、ＷＤ１００または携帯端末装置２００の移動速度Ｖを算出し、移動速度Ｖが閾値Ｖｔｈを超えた場合に、ＷＤ１００を装着した利用者が、移動体を運転中であると判定する。閾値Ｖｔｈは、例えば、人が歩行する際の平均的な速度（４［ｋｍ／ｈ］程度）よりも十分に高い速度に設定される。また、運転状態判定部２１０は、ＷＤ１００または携帯端末装置２００と、移動体に搭載される装置との通信によって得られた情報に基づいて、ＷＤ１００を装着した利用者が、移動体を運転中であるか否かを判定してもよい。また、運転状態判定部１１４は、上記方法を複合的に組み合わせて、利用者が、移動体を運転中であるか否かを判定してもよい。その他の機能部の機能については、第１の実施形態と同様である。
【００３９】
以上説明した第２の実施形態に係る利用者状態監視システム１Ａによれば、携帯端末装置２００が、利用者が移動体を運転中であるか否かを判定し、携帯端末装置２００、およびサーバ装置３００が、判定結果を参照し、ＷＤ１００において取得された生体情報に基づいて利用者の運転中の状態を監視するための処理を行うことにより、運転者の運転中、および降車後に亘って運転者の状態監視を行うことができる。この結果、移動体を運転する利用者に対し、より幅広い状態監視を実現することができる。
【００４０】
（第３の実施形態）
図６は、第３の実施形態に係る利用者状態監視システム１Ｂの構成例を示す図である。第３の実施形態に係る利用者状態監視システム１Ｂは、サーバ装置３００が運転状態判定部３０８を備える。運転状態判定部３０８は、例えば、ＷＤ１００のＧＮＳＳ受信機１１２により特定されたＷＤ１００の位置の履歴、または携帯端末装置２００が備えるＧＮＳＳ受信機（不図示）により特定された携帯端末装置２００の位置の履歴を通信によって取得し、取得した履歴に基づいて、ＷＤ１００または携帯端末装置２００の移動速度Ｖを算出し、移動速度Ｖが閾値Ｖｔｈを超えた場合に、ＷＤ１００を装着した利用者が、移動体を運転中であると判定する。閾値Ｖｔｈは、例えば、人が歩行する際の平均的な速度（４［ｋｍ／ｈ］程度）よりも十分に高い速度に設定される。また、運転状態判定部３０８は、ＷＤ１００または携帯端末装置２００と、移動体に搭載される装置との通信によって得られた情報に基づいて、ＷＤ１００を装着した利用者が、移動体を運転中であるか否かを判定してもよい。また、運転状態判定部１１４は、上記方法を複合的に組み合わせて、利用者が、移動体を運転中であるか否かを判定してもよい。その他の機能部の機能については、第１の実施形態と同様である。
【００４１】
以上説明した第３の実施形態に係る利用者状態監視システム１Ｂによれば、サーバ装置３００が、利用者が移動体を運転中であるか否かを判定し、携帯端末装置２００、およびサーバ装置３００が、判定結果を参照し、ＷＤ１００において取得された生体情報に基づいて利用者の運転中の状態を監視するための処理を行うことにより、運転者の運転中、および降車後に亘って運転者の状態監視を行うことができる。この結果、移動体を運転する利用者に対し、より幅広い状態監視を実現することができる。
【００４２】
（第４の実施形態）
図７は、第４の実施形態に係る利用者状態監視システム１Ｃの構成例を示す図である。第４の実施形態に係る利用者状態監視システム１Ｃは、第１の実施形態と比較すると、サーバ装置３００を省略した構成となっている。第４の実施形態において、アプリ実行部２０８Ｃは、第１の実施形態におけるアプリ実行部２０８の機能と、サーバ装置３００の監視処理実行部３０６の機能との双方を有する。すなわち、アプリ実行部２０８Ｃは、以下の処理を実行する。
【００４３】
（１）利用者が移動体を運転中である場合
この場合、アプリ実行部２０８Ｃは、例えば、一次情報に含まれる姿勢情報や心拍間隔、皮膚温度などに基づいて、ＷＤ１００を装着した利用者の疲労度、ストレス、集中度などの指標値を算出する。そして、アプリ実行部２０８Ｃは、例えば、疲労度、ストレス、集中度などの情報をリアルタイムに監視し、疲労度やストレスが基準値を超えた、あるいは集中度が基準値未満となった場合に、休憩を促す情報をタッチパネル２０６に表示させたり、スピーカ（不図示）に音声を出力させたりする。また、アプリ実行部２０８Ｃは、一次情報に基づいて、ＷＤ１００を装着した利用者の体調急変、眠気などの状態イベントを検出し、検出した体調急変、眠気などの情報に基づいて、自身の位置に、レスキュー車両を招へいするための処理などを実行する。
【００４４】
（２）利用者が移動体を運転中でない場合
この場合、アプリ実行部２０８Ｃは、例えば、一次情報に含まれる姿勢情報や心拍間隔、皮膚温度などに基づいて、ＷＤ１００を装着した利用者の睡眠状況、自律神経の状態などを推定し、推定結果をタッチパネル２０６に表示させる処理などを行う。また、アプリ実行部２０８Ｃは、例えば、一次情報に含まれる加速度の情報に基づいてＷＤ１００を装着した利用者の歩数を計算し、消費カロリーやＭＥＴｓ（Metabolic Equivalents；安静状態の何倍のカロリーを消費しているかを示す指標）などを算出し、算出結果をタッチパネル２０６に表示させる処理などを行ってもよい。また、アプリ実行部２０８Ｃは、例えば、利用者の降車後の健康管理のための処理を実行してもよい。
【００４５】
以上説明した第４の実施形態に係る利用者状態監視システム１Ｃによれば、ＷＤ１００が、利用者が移動体を運転中であるか否かを判定し、携帯端末装置２００が、判定結果を参照し、ＷＤ１００において取得された生体情報に基づいて利用者の運転中の状態を監視するための処理を行うことにより、運転者の運転中、および降車後に亘って運転者の状態監視を行うことができる。この結果、移動体を運転する利用者に対し、より幅広い状態監視を実現することができる。
【００４６】
なお、第４の実施形態において、第２の実施形態で説明したように、運転状態判定部を携帯端末装置２００が備える構成としてもよい。
【００４７】
（第５の実施形態）
図８は、第５の実施形態に係る利用者状態監視システム１Ｄの構成例を示す図である。第５の実施形態に係る利用者状態監視システム１Ｄは、第１の実施形態と比較すると、携帯端末装置２００を省略した構成となっている。第５の実施形態において、ＷＤ通信装置１１０Ｄは、ネットワークＮＷを介してサーバ装置３００のサーバ側通信装置３０２と通信し、一次情報をサーバ装置３００に提供する。
【００４８】
第５の実施形態において、監視処理実行部３０６Ｄは、第１の実施形態におけるアプリ実行部２０８の機能と、サーバ装置３００の監視処理実行部３０６の機能との双方を有する。すなわち、監視処理実行部３０６Ｄは、以下の処理を実行する。
【００４９】
（１）利用者が移動体を運転中である場合
この場合、監視処理実行部３０６Ｄは、例えば、一次情報に含まれる姿勢情報や心拍間隔、皮膚温度などに基づいて、ＷＤ１００を装着した利用者の疲労度、ストレス、集中度などの指標値を算出する。そして、監視処理実行部３０６Ｄは、例えば、疲労度、ストレス、集中度などの情報をリアルタイムに監視し、疲労度やストレスが基準値を超えた、あるいは集中度が基準値未満となった場合に、休憩を促す情報をＷＤ１００その他の機器（例えばＷＤ１００と通信しない利用者の携帯端末装置など）に送信する。また、監視処理実行部３０６Ｄは、一次情報に基づいて、ＷＤ１００を装着した利用者の体調急変、眠気などの状態イベントを検出し、検出した体調急変、眠気などの情報に基づいて、ＷＤ１００の位置に、レスキュー車両を派遣するための処理などを実行する。
【００５０】
（２）利用者が移動体を運転中でない場合
この場合、監視処理実行部３０６Ｄは、例えば、一次情報に含まれる姿勢情報や心拍間隔、皮膚温度などに基づいて、ＷＤ１００を装着した利用者の睡眠状況、自律神経の状態などを推定し、推定結果をＷＤ１００その他の機器（例えばＷＤ１００と通信しない利用者の携帯端末装置など）に送信する。また、監視処理実行部３０６Ｄは、例えば、一次情報に含まれる加速度の情報に基づいてＷＤ１００を装着した利用者の歩数を計算し、消費カロリーやＭＥＴｓ（Metabolic Equivalents；安静状態の何倍のカロリーを消費しているかを示す指標）などを算出し、算出結果をＷＤ１００その他の機器（例えばＷＤ１００と通信しない利用者の携帯端末装置など）に送信してもよい。監視処理実行部３０６Ｄは、例えば、利用者の降車後の健康管理のための処理を実行してもよい。
【００５１】
以上説明した第５の実施形態に係る利用者状態監視システム１Ｃによれば、ＷＤ１００が、利用者が移動体を運転中であるか否かを判定し、サーバ装置３００が、判定結果を参照し、ＷＤ１００において取得された生体情報に基づいて利用者の運転中の状態を監視するための処理を行うことにより、運転者の運転中、および降車後に亘って運転者の状態監視を行うことができる。この結果、移動体を運転する利用者に対し、より幅広い状態監視を実現することができる。
【００５２】
なお、第５の実施形態において、第３の実施形態で説明したように、運転状態判定部をサーバ装置３００が備える構成としてもよい。
【００５３】
（その他の実施形態）
上記各実施形態では、利用者の運転中の状態を監視するための処理を、携帯端末装置２００とサーバ装置３００との双方が実行するものとしたが、これらのうち一方が利用者の運転中の状態を監視するための処理を実行するものとしてもよい。
【００５４】
以上説明した少なくともひとつの実施形態によれば、ＷＤ１００が、利用者が移動体を運転中であるか否かを判定し、携帯端末装置２００、およびサーバ装置３００が、判定結果を参照し、ＷＤ１００において取得された生体情報に基づいて利用者の運転中の状態を監視するための処理を行うことにより、運転者の運転中、および降車後に亘って運転者の状態監視を行うことができる。この結果、移動体を運転する利用者に対し、より幅広い状態監視を実現することができる。
【００５５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５６】
１、１Ａ、１Ｂ、１Ｃ、１Ｄ…利用者状態監視システム、１００…ウェアラブルデバイス（ＷＤ）、１０２…生体センサ、１０４…物理量測定センサ、１０６…環境センサ、１０８…マイク、１１０…ＷＤ通信装置、１１２…ＧＮＳＳ受信機、１１４、２１０、３０８…運転状態判定部、１１６…処理実行部、１２０…リストバンド、１２２…ボタン、１２４…表示部、２００…携帯端末装置、２０２…近距離通信装置、２０４…ネットワーク通信装置、２０６…タッチパネル、２０８、２０８Ｃ…アプリ実行部、３００…サーバ装置、３０２…サーバ側通信装置、３０４…収集情報記憶部、３０６、３０６Ｄ…監視処理実行部、ＮＷ…ネットワーク
【図１】
2017033042.tif 000003
【図２】
2017033042.tif 000004
【図３】
2017033042.tif 000005
【図４】
2017033042.tif 000006
【図５】
2017033042.tif 000007
【図６】
2017033042.tif 000008
【図７】
2017033042.tif 000009
【図８】
2017033042.tif 000010